(57)【要約】      （修正有）【課題】工具類の出し入れが容易にかつ確実に行えると共に、使用者がけがをすることなく、部材の入れ替えを簡単に行うことができる工具袋を提供する。【解決手段】工具袋１は、大別すると、収納部１０、１１と小収納部１２、１３と吊下げ部１６とからなる。工具袋１は、形態保持可能な皮革、厚布、樹脂等比較的丈夫な一枚の略長方形の基材の上端部分を裏側に折り返して腰ベルトへの掛け止め部を形成する吊下げ部１６と、吊下げ部１６の下方の基材に布材を縫着することにより上面開口した収納部１０、１１を形成し、さらに収納部１０、１１の前面に布材を縫着することにより上面開口した小収納部１２、１３を形成している。【選択図】図１
0003188642.tif 000002
【実用新案登録請求の範囲】
【請求項１】
大工作業をするときに腰に巻くベルトに取り付ける工具袋であって、前面に上面開口して工具類を収納する二つの収納部を備え、前記二つの収納部の前縁は隣接してＶ字形状又はＵ字形状を形成することを特徴とする工具袋。
【請求項２】
大工作業をするときに腰に巻くベルトに取り付ける工具袋であって、前面に上面開口して工具類を収納する二つの第一の収納部を備え、前記二つの第一の収納部の前縁は隣接してＶ字形状又はＵ字形状を形成し、
さらに、前記二つの第一の収納部はそれぞれ前面に第二の収納部を備え、二つの前記第二の収納部の前縁は隣接してＶ字形状又はＵ字形状を形成することを特徴とする工具袋。
【請求項３】
前記収納部の開口に挿脱自在に保持する内収納体を備えることを特徴とする請求項１に記載の工具袋。
【請求項４】
前記第一の収納部と前記第二の収納部の開口に挿脱自在に保持する第一の内収納体と第二の内収納体とをそれぞれ備えることを特徴とする請求項２に記載の工具袋。
【考案の詳細な説明】
【技術分野】
【０００１】
本考案は、工事現場において使用する釘、ねじ類、ビット、補修・結束具等の部材や、工具、金物等を携帯するための工具袋に関する。
【背景技術】
【０００２】
従来、工具袋は釘袋や腰袋ともいい、袋体の内部に釘、ねじ類等の工事に必要な各種部材を収納できるようにしている。例えば、図７に示すとおり、一般的な工具袋は、布製で、大ポケット４１の前面に中、小ポケット４２、４３を縫い付けると共に、大ポケットの上端部にベルト通し４４を備えているもので、各ポケットに大小の釘を収納すると共に、金槌やバール等の工具を差し込んで利用する。このように、従来の工具袋は、足場の悪い高所での使用が便利になるような工夫がなされている。
【０００３】
また、工具袋は特許発明又は考案としていくつか提案されている。特許文献１に係る腰袋にあっては、上面が開口した袋体１の外表面に各種工具を収納するポケット部と、作業者の腰ベルトに吊り下げるためのベルト吊下げ部とを備え、更に袋体の外表面の所定箇所に開閉蓋片付き通信機用ポケットが設けられている構造としたものである。また、特許文献２に係る釘袋は、大工作業をするときに腰に巻くベルトに取り付けるものであって、上端面を開口した略箱型をなす耐食性の優れた金属製容器の前板と後板の間に、仕切板を介してそれぞれ手が入る大きさの２つの収納部を形成し、前後両板と底板との隅角部分を傾斜状、または彎曲状に連続し、後板の外面上部にベルト通しを設け、底板に水抜穴を設け、前板と左側板と右側板の三つの板のうち、少なくとも一つの板の外面に、金槌を掛止する引掛部を設けてあることを特徴とするものである。
【先行技術文献】
【特許文献】
【０００４】
【特許文献１】登録実用新案第３０１２３２１号公報
【特許文献２】特開平８―１９７４６２号公報
【考案の概要】
【考案が解決しようとする課題】
【０００５】
ところが、使用者はこのような工具袋を腰の側面又は若干背面よりに取り付けて使用することが多い。そうすると、使用者は、従来の工具袋、特許文献１に係る腰袋、特許文献２に係る釘袋を使用するとすれば、袋体又は収納部の上面開口が平らであるため、工具類を取り出す際、手を開口に対して垂直に挿脱しなければならず、工具類を取出しにくいという問題があった。また、収納した工具類を入れ替える場合には、袋体又は収納部に手を差し込んで掴んだり、工具袋をひっくり返して逆さまにしないと、収納した部材を取り出すことができず、特に釘やねじ等の鋭利な物品に手を触れる等して、使用者がけがをしたり、収納した物品の入れ替えが面倒であるという問題があった。
【０００６】
本考案は、このような問題に鑑み、工具類の出し入れが容易にかつ確実に行えると共に、使用者がけがをすることなく、部材の入れ替えを簡単に行うことができる工具袋を提案することを課題とする。
【課題を解決するための手段】
【０００７】
本考案に係る工具袋は、大工作業をするときに腰に巻くベルトに取り付ける工具袋であって、前面に上面開口して工具類を収納する二つの収納部を備え、二つの収納部の前縁は隣接してＶ字形状又はＵ字形状を形成することを特徴とする。
【０００８】
また、別の形態として、大工作業をするときに腰に巻くベルトに取り付ける工具袋であって、前面に上面開口して工具類を収納する二つの第一の収納部を備え、二つの第一の収納部の前縁は隣接してＶ字形状又はＵ字形状を形成し、さらに、二つの第一の収納部はそれぞれ前面に第二の収納部を備え、二つの第二の収納部の前縁は隣接してＶ字形状を形成するようにしてもよい。
【０００９】
さらに、各収納部の開口に挿脱自在に保持する内収納体を備えるようにすれば、収納した部材を入れ替えるのに便利であるとともに、耐久性が増す。
【考案の効果】
【００１０】
本考案に係る工具袋によれば、工事等において、必要な部材や工具類を簡単に収納ならびに取り出すことができ、さらに収納した部材を入れ替えるときに使用者がけがをすることなく、入れ替えが容易に行うことができ、耐久性に優れ、破損の極めて少ない頑丈な構造となっている。さらに、構造が簡易で製造コストを低減できる。
【図面の簡単な説明】
【００１１】
【図１】本考案の工具袋の一例を示す概略斜視図である。
【図２】図１に係る工具袋の正面図である。
【図３】本考案の工具袋の別の一例を示す概略斜視図である。
【図４】図２に係る工具袋の正面図である。
【図５】内収納体の一例を示す概略斜視図である。
【図６】内収納体を工具袋に挿脱する様子の一例を示す概略斜視図である。
【図７】従来の工具袋を示す概略図である。
【考案を実施するための形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。図１は、本考案の工具袋の一例を示す概略図である。図２は、図１に係る工具袋１の正面図である。図３は、本考案の工具袋の別の一例を示す概略図である。図４は、図３に係る工具袋２の正面図である。
【００１４】
まず、工具袋１の全体構成を説明する。図１に示すとおり、本考案の工具袋１は、大別すると、収納部１０、１１と小収納部１２、１３と吊下げ部１６とからなる。より詳細には、工具袋１は、形態保持可能な皮革、厚布、樹脂等比較的丈夫な一枚の略長方形の基材の上端部分を裏側に折り返して腰ベルトへの掛け止め部（図に示さない）を形成する吊下げ部１６と、吊下げ部１６の下方の基材に布材を縫着することにより上面開口した収納部１０、１１を形成し、さらに収納部１０、１１の前面に布材を縫着することにより上面開口した小収納部１２、１３を形成している。
【００１５】
図１及び２を参照しながら、収納部１０、１１及び小収納部１２、１３の形状を説明する。収納部１０、１１は、上述したとおり、上面が開口しており、開口は前縁１０ａ、１１ａ、側縁１０ｂ、１１ｂ、中縁１０ｃ、１１ｃを備え、前縁１０ａ、１１ａがいずれも側面側から中央に向かって斜めに切除されている。したがって、収納部１０、１１は隣接することにより、正面視で前縁１０ａ、１１ａがＶ字形状を形成する。このＶ字形状が本考案の最大の特徴となっている。なお、前縁をＵ字形状に形成してもよい。このように、前縁１０ａ、１１ａをＶ字形状又はＵ字形状にすることにより、釘等工事部材や工具類等を工具袋１の前面上方から取り出すことが容易であり、また挿入することも容易となり、利便性が高まる。なお、収納部１０、１１の前縁１０ａ、１１ａは、内側に対しても略Ｖ字状または略Ｕ字状に折り曲げて、内側に大きく入り込ませたものにすれば、その開口度合いを大きくすることができ、収納部１０、１１の収納量を多くすることもできる。
【００１６】
小収納部１２、１３についても収納部１０、１１と同様である。小収納部１２、１３は、上面が開口しており、開口は前縁１２ａ、１３ａ、側縁１２ｂ、１３ｂ、中縁１２ｃ、１３ｃを備え、前縁がいずれも側面側から中央に向かって斜めに切除されている。実施例１において、小収納部１２、１３は隣接するものの、両者はやや離間して構成しているが、収納部１０、１１と同様に当接させて、正面視で前縁１２ａ、１３ａがＶ字形状又はＵ字形状を形成するようにしてもよい。
【００１７】
次に、図３及び４を参照する。図３は、上述した工具袋１の変形形態を示す概略斜視図であり、図４は、図３に係る工具袋２の正面図である。図３に示すとおり、本考案の工具袋２は、大別すると、第一の収納部２０、２１と、第二の収納部２４、２５と、小収納部２２、２３と吊下げ部２６とからなる。より詳細には、工具袋２は、工具袋１と同様に、形態保持可能な皮革、厚布、樹脂等比較的丈夫な一枚の略長方形の基材の上端部分を裏側に折り返して腰ベルトへの掛け止め部（図に示さない）を形成する吊下げ部２６と、吊下げ部２６の下方の基材に布材を縫着することにより上面開口した第一の収納部２０、２１を形成し、第一の収納部２０、１１の前面に布材を縫着することにより上面開口した第二の収納部２４、２５を形成し、さらに第二の収納部２４、２５の前面に布材を縫着することにより小収納部２２、２３を形成している。
【００１８】
第一の収納部２０、２１、第二の収納部２４、２５、及び小収納部２２、２３の形状を説明する。第一の収納部２０、２１及び第二の収納部２４、２５は、工具袋１と同様に、上面が開口しており、開口は前縁２０ａ、２１ａ、２４ａ、２５ａ、側縁２０ｂ、２１ｂ、２４ｂ、２５ｂ、中縁２０ｃ、２１ｃ、２４ｃ、２５ｃを備え、前縁がいずれも側面側から中央に向かって斜めに切除されている。したがって、第一の収納部２０、２１及び第二の収納部２４、２５は隣接することにより、正面視で前縁２０ａ、２１ａ、前縁２４ａ、２５ａがＶ字形状又はＵ字形状を形成する。このように、前縁２０ａ、２１ａ、前縁２４ａ、２５ａをＶ字形状又はＵ字形状にすることにより、釘等工事部材や工具類等を工具袋１の前面上方から取り出すことが容易であり、また挿入することも容易となり、利便性が高まる。なお、前縁２０ａ、２１ａ、前縁２４ａ、２５ａは、内側に対しても略Ｖ字状または略Ｕ字状に折り曲げて、内側に大きく入り込ませたものにすれば、その開口度合いを大きくすることができ、第一の収納部２０、２１、第二の収納部２４、２５の収納量を多くすることもできる。
【実施例２】
【００１９】
実施例２を図面を参照して詳細に説明する。図５は、内収納体の一例を示す概略斜視図である。図６は、内収納体を工具袋３に挿脱する様子の一例を示す概略斜視図である。
【００２０】
実施例２に係る工具袋３は、内収納体を備えることを特徴とする。図５を参照する。内収納体５０は、収納部３０に対応するものとして示す。内収納体５０は、収納部３０に挿脱自在に収納できる大きさにしており、形状も収納部３０を一回り小さくしたもので、上面が開口しており、開口は前縁５０ａ、側縁５０ｂ、中縁５０ｃ、内縁５０ｄを備え、前縁５０ａが側面側から中央に向かって斜めに切除されている。また、内収納体５０を収納部３０に挿脱操作する際に、内収納体５０を手で掴めるよう、上面開口の任意の端部に摘み片５０ｅ、５０ｆを設けるとよい。また、上面開口に外方に向けて鰐を設け、鰐を収納部３０の上面開口に接触するようにしてもよいし、指で引っ掛けることができるように、上面開口の近辺に指挿入穴（図示しない）を設けてもよい。なお、収納部３１には、内収納体５１（図示しない）を、小収納部３２、３３には、内収納体５２、５３（図示しない）を、内収納体５０と同様に備える。内収納体５０、５１、５２、５３は、形態保持可能で、釘、ねじ等の鋭利な部材やねじ回しやナイフ等鋭利な工具類を収納するのに損傷しにくい合成樹脂や金属の素材からなるようにするとよい。
【００２１】
次に、図６を参照しながら、工具袋３において内収納体５０を収納部３０に挿脱する様子を説明する。内収納体５０を収納部３０に挿入するときは、内収納体５０の底部を収納部３０の上面開口に嵌め込む。そして、手で内収納体５０を上面開口５０ａが、収納部３０の上面開口３０ａと同じ高さになるまで下方向に押し込めばよい。他方、内収納体５０を収納部３０から取り外すときは、摘み片５０ｅ、５０ｆを指で摘み、上方向に引き上げればよい。なお、図示しない内収納体５１、５２、５３も、内収納体５０と同様の構成にすればよい。
【００２２】
本実施例２に係る工具袋３においては、内収納体を収納部に嵌め込むことにより、底部が二重になるため、底が抜けたり損傷したりすることが少なくなる。また、工具袋の内面も二重になるため、保形性が長く耐久性に優れ、破損の極めて少ない頑丈な構造とすることができる。
【００２３】
以上、本考案に係る工具袋における好ましい実施形態を図示して説明してきたが、本考案の技術的範囲を逸脱することなく種々の変更が可能であることは理解されるであろう。
【産業上の利用可能性】
【００２４】
本考案に係る工具袋は、構造が簡易であるので、建設工事や電気工事等において高所で工具を必要とする用具として広く利用することができる。
【符号の説明】
【００２５】
１  ２  ３  工具袋
１０  １１  ２０  ２１  ３０  ３１  （第一の）収納部
１０ａ  １１ａ  ２０ａ  ２１ａ  前縁
３０ａ  ３１ａ  前縁
１２  １３  ２２  ２３  ３２  ３３  小収納部
１２ａ  １３ａ  ２２ａ  ２３ａ  前縁
３２ａ  ３３ａ  前縁
２４  ２５  第二の収納部
２４ａ  ２５ａ  前縁
１６  ２６  ３６  吊下げ部  
５０  ５１  ５２  ５３  内収納体
５０ａ  前縁
５０ｅ  ５０ｆ  摘み片
【図１】
0003188642.tif 000003
【図２】
0003188642.tif 000004
【図３】
0003188642.tif 000005
【図４】
0003188642.tif 000006
【図５】
0003188642.tif 000007
【図６】
0003188642.tif 000008
【図７】
0003188642.tif 000009